(57)【要約】【課題】本発明の目的は、皮膚刺激性が低く、使用後感が優れ、良好な洗浄力を有する台所用液体洗浄剤組成物を提供することにある。【解決手段】ａ）に示す特定のアルキレンオキシド誘導体０．１〜１０質量％、及び硫酸系陰イオン性界面活性剤、第３アミンオキシド、好ましくは非イオン性界面活性剤を含有することを特徴とする台所用液体洗浄剤組成物。ａ）アルキレンオキシド誘導体。Ｒ１Ｏ−［（ＡＯ）ｍ（ＣＨ２ＣＨ２Ｏ）ｎ］−Ｒ２      （Ｉ）（式中、ＡＯは炭素数３〜４のオキシアルキレン基、ｍおよびｎはそれぞれ炭素数３〜４のオキシアルキレン基、ＣＨ２ＣＨ２Ｏ基の平均付加モル数で、１≦ｍ≦７０、１≦ｎ≦７０であり、炭素数３〜４のオキシアルキレン基とＣＨ２ＣＨ２Ｏ基の合計に対するＣＨ２ＣＨ２Ｏ基の割合が、２０〜８０質量％である。炭素数３〜４のオキシアルキレン基とＣＨ２ＣＨ２Ｏ基はブロック状に付加していてもランダム状に付加していてもよい。Ｒ１およびＲ２は同一もしくは異なっていてもよい炭素数１〜４の炭化水素基または水素原子である。）【選択図】      なし【特許請求の範囲】
【請求項１】
下記のａ）０．１〜１０質量％、ｂ）５〜４０質量％およびｃ）０．１〜１０質量％を含有することを特徴とする台所用液体洗浄剤組成物。
ａ）式（Ｉ）で示されるアルキレンオキシド誘導体。
Ｒ１Ｏ−［（ＡＯ）ｍ（ＣＨ２ＣＨ２Ｏ）ｎ］−Ｒ２      （Ｉ）
（式中、ＡＯは炭素数３〜４のオキシアルキレン基、ｍおよびｎはそれぞれ炭素数３〜４のオキシアルキレン基、ＣＨ２ＣＨ２Ｏ基の平均付加モル数で、１≦ｍ≦７０、１≦ｎ≦７０であり、炭素数３〜４のオキシアルキレン基とＣＨ２ＣＨ２Ｏ基の合計に対するＣＨ２ＣＨ２Ｏ基の割合が、２０〜８０質量％である。炭素数３〜４のオキシアルキレン基とＣＨ２ＣＨ２Ｏ基はブロック状に付加していてもランダム状に付加していてもよい。Ｒ１およびＲ２は同一もしくは異なっていてもよい炭素数１〜４の炭化水素基または水素原子であり、Ｒ１およびＲ２の炭化水素基数に対する水素原子数の割合が０．１５以下である。）
ｂ）硫酸系陰イオン性界面活性剤。
ｃ）式（ＩＩ）で示される第３アミンオキシド。
【化１】
2004168899.tif 000006
（式中、Ｒ３は炭素数１０〜２０の炭化水素基、Ｒ４およびＲ５は炭素数１〜４のアルキル基もしくはヒドロキシアルキル基、ａは平均付加モル数で、０≦ａ≦１１である。）
【請求項２】
下記のａ）０．１〜１０質量％、ｂ）５〜４０質量％、ｃ）０．１〜１０質量％およびｄ）１〜４０質量％を含有することを特徴とする台所用液体洗浄剤組成物。
ａ）式（Ｉ）で示されるアルキレンオキシド誘導体。
Ｒ１Ｏ−［（ＡＯ）ｍ（ＣＨ２ＣＨ２Ｏ）ｎ］−Ｒ２      （Ｉ）
（式中、ＡＯは炭素数３〜４のオキシアルキレン基、ｍおよびｎはそれぞれ炭素数３〜４のオキシアルキレン基、ＣＨ２ＣＨ２Ｏ基の平均付加モル数で、１≦ｍ≦７０、１≦ｎ≦７０であり、炭素数３〜４のオキシアルキレン基とＣＨ２ＣＨ２Ｏ基の合計に対するＣＨ２ＣＨ２Ｏ基の割合が、２０〜８０質量％である。炭素数３〜４のオキシアルキレン基とＣＨ２ＣＨ２Ｏ基はブロック状に付加していてもランダム状に付加していてもよい。Ｒ１およびＲ２は同一もしくは異なっていてもよい炭素数１〜４の炭化水素基または水素原子であり、Ｒ１およびＲ２の炭化水素基数に対する水素原子数の割合が０．１５以下である。）
ｂ）硫酸系陰イオン性界面活性剤。
ｃ）式（ＩＩ）で示される第３アミンオキシド。
【化２】
2004168899.tif 000007
（式中、Ｒ３は炭素数１０〜２０の炭化水素基、Ｒ４およびＲ５は炭素数１〜４のアルキル基もしくはヒドロキシアルキル基、ａは平均付加モル数で、０≦ａ≦１１である。）
ｄ）式（ＩＩＩ）で示される非イオン性界面活性剤。
Ｒ６Ｏ（Ａ１Ｏ）ｑＨ    （ＩＩＩ）
（Ｒ６は炭素数８〜２４のアルキル基、アルケニル基またはアシル基、Ａ１Ｏは炭素数２〜４のオキシアルキレン基、ｑは炭素数２〜４のオキシアルキレン基の平均付加モル数であり、５≦ｑ≦１００である。）
【請求項３】
式（Ｉ）で示されるアルキレンオキシド誘導体が、炭素数３〜４オキシアルキレン基とＣＨ２ＣＨ２Ｏ基がランダム状に付加していることを特徴とする請求項１または２記載の台所用液体洗浄剤組成物。
【発明の詳細な説明】
【０００１】
【発明の属する技術分野】
本発明は台所用液体洗浄剤組成物、特にその皮膚刺激性及び使用後感の改善に関する。
【０００２】
【従来の技術】
従来、台所用液体洗浄剤には、アルキルベンゼンスルホン酸塩、高級アルキルエーテル硫酸エステル塩などの陰イオン性界面活性剤、高級脂肪酸アルカノールアミド、ポリオキシエチレンアルキルエーテルなどの非イオン性界面活性剤、アミドプロピルベタインなどの両性界面活性剤が洗浄基剤として組み合せて用いられている。
ところで、台所用液体洗浄剤は、使用時に皮膚に触れることが多く、そのためマイルドで皮膚刺激性が低い組成物が望まれている。
【０００３】
この解決手段として第３アミンオキシドを併用することが知られているが、充分な効果を求めるためには洗浄剤組成物のｐＨを酸性領域に調整する必要がある。しかし酸性領域においては、著しい増粘がみられたり、低温安定性が悪化する。また、特開平３−１８８１９５号公報（特許文献１）には、ポリオキシエチレンアルキルエーテル、脂肪酸ジエタノールアミド、アミンオキシドおよび糖エステル系界面活性剤を含む液体洗浄剤組成物が、特開平８−１６５５００号公報（特許文献２）には、高級アルコールにエチレンオキシドおよびプロピレンオキシドをランダム状に付加させた非イオン性界面活性剤、アルキルジエタノールアミド、アミンオキシドを含む液体洗浄剤組成物が開示されている。
【０００４】
【特許文献１】
特開平３−１８８１９５号公報
【特許文献２】
特開平８−１６５５００号公報
【０００５】
【発明が解決しようとする課題】
しかし、特開平３―１８８１９５号、あるいは特開平８―１６５５００号公報に記載の組成物にあっても、皮膚に対してはマイルドではあるが、使用後の感触に関してはすべすべ感、しっとり感が得られていない。
本発明は前記従来技術の課題に鑑みなされたもので、その目的は、皮膚刺激性が低く、使用後感に優れ、良好な洗浄力を有する台所用液体洗浄剤組成物を提供することにある。
【０００６】
【課題を解決するための手段】
前記目的を達成するために本発明者らが鋭意検討を行った結果、特定のアルキレンオキシド誘導体を、硫酸系陰イオン性界面活性剤及び第３アミンなどとともに用いることにより、皮膚刺激性及び使用後感が改善されることを見出し、本発明を完成するに至った。
すなわち、本発明にかかる台所用液体洗浄剤組成物は、下記のａ）０．１〜１０質量％、ｂ）５〜４０質量％およびｃ）０．１〜１０質量％を含有することを特徴とする。
【０００７】
ａ）式（Ｉ）で示されるアルキレンオキシド誘導体。
Ｒ１Ｏ−［（ＡＯ）ｍ（ＣＨ２ＣＨ２Ｏ）ｎ］−Ｒ２      （Ｉ）
（式中、ＡＯは炭素数３〜４のオキシアルキレン基、ｍおよびｎはそれぞれ炭素数３〜４のオキシアルキレン基、ＣＨ２ＣＨ２Ｏ基の平均付加モル数で、１≦ｍ≦７０、１≦ｎ≦７０であり、炭素数３〜４のオキシアルキレン基とＣＨ２ＣＨ２Ｏ基の合計に対するＣＨ２ＣＨ２Ｏ基の割合が、２０〜８０質量％である。炭素数３〜４のオキシアルキレン基とＣＨ２ＣＨ２Ｏ基はブロック状に付加していてもランダム状に付加していてもよい。Ｒ１およびＲ２は同一もしくは異なっていてもよい炭素数１〜４の炭化水素基または水素原子であり、Ｒ１およびＲ２の炭化水素基数に対する水素原子数の割合が０．１５以下である。）
【０００８】
ｂ）硫酸系陰イオン性界面活性剤。
ｃ）式（ＩＩ）で示される第３アミンオキシド。
【化３】
2004168899.tif 000002
（式中、Ｒ３は炭素数１０〜２０の炭化水素基、Ｒ４およびＲ５は炭素数１〜４のアルキル基もしくはヒドロキシアルキル基、ａは平均付加モル数で、０≦ａ≦１１である。）
また、前記組成物において、さらにｄ）１〜４０質量％を含有することを特徴とすることが好適である。
【０００９】
ｄ）式（ＩＩＩ）で示される非イオン性界面活性剤。
Ｒ６Ｏ（Ａ１Ｏ）ｑＨ    （ＩＩＩ）
（Ｒ６は炭素数８〜２４のアルキル基、アルケニル基またはアシル基、Ａ１Ｏは炭素数２〜４のオキシアルキレン基、ｑは炭素数２〜４のオキシアルキレン基の平均付加モル数であり、５≦ｑ≦１００である。）
また、前記組成物において、式（Ｉ）で示されるアルキレンオキシド誘導体が、炭素数３〜４オキシアルキレン基とＣＨ２ＣＨ２Ｏ基がランダム状に付加していることが好適である。
【００１０】
【発明の実施の形態】
以下、本発明の好適な実施形態について説明する。
ａ）アルキレンオキシド誘導体
式（Ｉ）で示されるアルキレンオキシド誘導体において、ＡＯは炭素数３〜４のオキシアルキレン基であり、例として、オキシプロピレン基、オキシブチレン基、オキシイソブチレン基、オキシトリメチレン基、オキシテトラメチレン基などが挙げられる。好ましくは、オキシプロピレン基、オキシブチレン基であり、より好ましくはオキシプロピレン基である。
【００１１】
ｍは炭素数３〜４のオキシアルキレン基の平均付加モル数であり、１≦ｍ≦７０、好ましくは２≦ｍ≦２０である。ｎはＣＨ２ＣＨ２Ｏ基の平均付加モル数であり、１≦ｎ≦７０、好ましくは２≦ｎ≦２０である。ｎが０であるとしっとり感が落ち、７０を越えるとべたつき感がでてくる。また逆にｍが０であるとすべすべ感が落ち、７０を越えると同様にべたつき感がでてくる。
【００１２】
また、炭素数３〜４のオキシアルキレン基とＣＨ２ＣＨ２Ｏ基の合計に対するＣＨ２ＣＨ２Ｏ基の割合は、２０〜８０質量％であり、好ましくは３０〜７０質量％である。ＣＨ２ＣＨ２Ｏ基の割合が２０質量％以下であるとしっとり感が落ち、８０質量％以上であるとすべすべ感が十分に得られない。
エチレンオキシドおよび炭素数３〜４のアルキレンオキシドの付加する順序は特に指定はない。またＣＨ２ＣＨ２Ｏ基と炭素数３〜４のオキシアルキレン基はブロック状に付加していてもランダム状に付加していてもよい。好ましくはしっとり感を上げるため、もしくは低温安定性を向上させるためランダム状に付加されているものが挙げられる。
【００１３】
Ｒ１およびＲ２は炭素数１〜４の炭化水素基または水素原子で、炭化水素基としては、メチル基、エチル基、ｎ−プロピル基、イソプロピル基、ｎ−ブチル基、ｓｅｃ−ブチル基、ｔｅｒｔ−ブチル基などが挙げられる。好ましくはメチル基、エチル基である。炭素数５以上の炭化水素基では親水性が低下し、しっとり感が低下する。Ｒ１およびＲ２は同一であっても異なっていても良い。
【００１４】
Ｒ１およびＲ２はそれぞれ１種のみを用いても、炭素数１〜４の炭化水素基と水素原子とが混在しても、炭素数１〜４の炭化水素基が混在しても良い。ただし、Ｒ１およびＲ２の炭化水素基のうち、炭化水素基と水素原子の存在割合は、炭化水素基の数（Ｘ）に対する水素原子の数（Ｙ）の割合Ｙ／Ｘが０．１５以下、好ましくは０．０６以下である。Ｙ／Ｘの割合が０．１５を越えると、べたつき感がでる。
【００１５】
アルキレンオキシド誘導体は公知の方法で製造することができる。例えば、水酸基を有している化合物にエチレンオキシドおよび炭素数３〜４のアルキレンオキシドを付加重合した後、ハロゲン化アルキルをアルカリ触媒の存在下にエーテル反応させることによって得られる。
【００１６】
ｂ）硫酸系陰イオン性界面活性剤
本発明において必須成分である硫酸系陰イオン性界面活性剤としては、ポリオキシエチレンアルキルエーテル硫酸エステル塩、ポリオキシエチレンアルケニルエーテル硫酸エステル塩、アルキル硫酸エステル塩、アルケニル硫酸エステル塩、アルキルベンゼンスルホン酸塩、α−オレフィンスルホン酸塩などが挙げられる。
【００１７】
ポリオキシエチレンアルキルエーテル硫酸エステル塩およびポリオキシエチレンアルケニルエーテル硫酸エステル塩は、アルキルアルコールまたはアルケニルアルコールにエチレンオキシドを付加させた後、濃硫酸、発煙硫酸またはクロロスルホン酸などの硫酸化剤を用いて硫酸化し、次いで塩基性化合物で中和することにより得ることが出来る。好ましくは、アルキルまたはアルケニル基としては、デシル基、ドデシル基、トリデシル基、テトラデシル基、ヘキサデシル基、オクタデシル基、オレイル基、イソステアリル基、ヤシ油アルキル基、牛脂アルキル基などの炭素数１０〜２０から１種または２種以上を用いることができ、より好ましくは炭素数が１２〜１８である。
【００１８】
エチレンオキシドの平均付加モル数は、好ましくは１分子に０．５〜８モルであり、より好ましくはエチレンオキシドの平均付加モル数は１〜５モルである。
アルキル硫酸エステル塩、アルケニル硫酸エステル塩は、アルコールを濃硫酸、発煙硫酸またはクロロスルホン酸などの硫酸化剤を用いて硫酸化し、次いで塩基性化合物で中和することにより得ることができる。好ましくは、アルキルまたはアルケニル基としては、デシル基、ドデシル基、トリデシル基、テトラデシル基、ヘキサデシル基、オクタデシル基、オレイル基、イソステアリル基、ヤシ油アルキル基、牛脂アルキル基などの炭素数１０〜２０から１種または２種以上を用いることができ、より好ましくは炭素数が１２〜１８である。
【００１９】
アルキルベンゼンスルホン酸塩は通常アルキル基を有する置換ベンゼンをスルホン化し中和して得ることができる。アルキル基は直鎖でも分岐でもよく、好ましくは炭素数８〜２０、より好ましくは炭素数１０〜１６である。
α−オレフィンスルホン酸塩は通常α−オレフィンに無水硫酸を反応させ中和して得ることができる。α−オレフィンは直鎖でも分岐でもよく、好ましくは炭素数１０〜２０、より好ましくは炭素数１２〜１８である。
【００２０】
硫酸系系陰イオン性界面活性剤は塩基性化合物で中和されており、ナトリウム、カリウムなどのアルカリ金属イオン、トリエタノールアミンなどのアミン性物質、リジンなどの塩基性アミノ酸などで中和されるが、好ましくはアルカリ金属の中和物である。
硫酸系陰イオン性界面活性剤として、好ましくはポリオキシエチレンアルキルエーテル硫酸エステル塩、ポリオキシエチレンアルケニルエーテル硫酸エステル塩である。
【００２１】
ｃ）第３アミンオキシド
本発明において必須成分である第３アミンオキシドは、好ましくは式（ＩＩ）においてＲ３は炭素数１０〜２０の炭化水素基であり、デシル基、ドデシル基、トリデシル基、テトラデシル基、ヘキサデシル基、イソステアリル基などの直鎖または分岐のアルキル基、オレイル基、リノール基などのアルケニル基、ヤシ油アルキル基、牛脂アルキル基などの混合炭化水素基から１種または２種以上を組み合わせて用いることができる。好ましくは炭素数１２〜１８の炭化水素基である。
【００２２】
Ｒ４およびＲ５は炭素数１〜４のアルキル基またはヒドロキシアルキル基であり、メチル基、エチル基、プロピル基、ブチル基、イソブチル基、ヒドロキシエチル基、ヒドロキシプロピル基などが挙げられる。
ａはオキシエチレン基の平均付加モル数を示しており、０〜１１であり、好ましくは０〜３である。
【００２３】
ｄ）非イオン性界面活性剤
本発明において好適に用いられるポリオキシアルキレンエーテルである非イオン性界面活性剤としては、ポリオキシアルキレンアルキルエーテル、ポリオキシアルキレンアルケニルエーテルなどが挙げられる。
【００２４】
ｄ）式（ＩＩＩ）で示される非イオン性界面活性剤において、Ｒ６は炭素数８〜２４のアルキル基、アルケニル基またはアシル基であり、アルキル基としては２−エチルヘキシル基、オクチル基、デシル基、ドデシル基、トリデシル基、テトラデシル基、ヘキサデシル基、イソステアリル基、イコシル基、ドコシル基などが挙げられ、アルケニル基としてはオレイル基、リノール基などが挙げられる。ヤシ油アルキル基、牛脂アルキル基などの混合アルキル基を用いてもよい。好ましくは、炭素数１０〜２０のアルキル基またはアルケニル基である。
【００２５】
アシル基としては、炭素数８〜２４の脂肪酸由来のアシル基が挙げられる。炭素数８〜２４の脂肪酸としては、オクタン酸、デカン酸、ドデカン酸、トリデカン酸、テトラデカン酸、ペンタデカン酸、ヘキサデカン酸、ヘプタデカン酸、オクタデカン酸、ノナデカン酸、イコサン酸、ドコサン酸、テトラコサン酸などの飽和脂肪酸、ミリストレイン酸、パルミトレイン酸、オレイン酸、リノール酸、ゴンドイン酸、アラキドン酸、エルカ酸などの不飽和脂肪酸などが挙げられ、これらの混合脂肪酸である、天然油脂由来の脂肪酸が挙げられる。好ましくは炭素数１０〜２０のアシル基である。
【００２６】
アルキル基、アルケニル基またはアシル基は、１種または２種以上を組み合わせて用いることができる。
Ｒ６としては、好ましくはアルキル基またはアルケニル基である。
Ａ１Ｏは、炭素数２〜４のオキシアルキレン基である。炭素数２〜４のオキシアルキレン基としては、オキシエチレン基、オキシプロピレン基、オキシブチレン基、オキシイソブチレン基、オキシトリメチレン基、オキシテトラメチレン基などが挙げられる。これらの１種または２種以上を用いることができる。２種以上用いる場合ブロック状に付加していても、ランダム状に付加していてもよい。
ｑは炭素数２〜４のオキシアルキレン基の平均付加モル数であり、５〜１００であり、好ましくは５〜５０である。
【００２７】
組成比
本発明の台所用液体洗浄剤組成物には、ａ）式（Ｉ）で示されるアルキレンオキシド誘導体を０．１〜１０質量％、ｂ）硫酸系陰イオン性界面活性剤を５〜４０質量％およびｃ）式（ＩＩ）で示される第３アミンオキシドを０．１〜１０質量％配合することができる。好ましくはａ）０．５〜５質量％、ｂ）１０〜３０質量％、ｃ）１〜６質量％である。
【００２８】
さらに洗浄力を得たい場合には、ａ）０．１〜１０質量％、ｂ）５〜４０質量％、ｃ）０．１〜１０質量％の配合に加え、ｄ）式（ＩＩＩ）で示される非イオン性界面活性剤１〜４０質量％を配合することができる。好ましくはａ）０．５〜５質量％、ｂ）１０〜３０質量％、ｃ）１〜６質量％、ｄ）２〜２０質量％である。ａ）のアルキレンオキシド誘導体が０．１質量％以下だと皮膚刺激性が強くなり、１０質量％以上だと洗浄力が低下する。ｂ）硫酸系陰イオン性界面活性剤が５質量％以下だと洗浄力が低下し４０質量％以上だとハンドリングが悪くなる。ｃ）第３アミンオキシドが０．１質量％以下だと洗浄力が低下し１０質量％以上だとハンドリングが悪くなる。ｄ）非イオン性界面活性剤が１質量％以下だと洗浄効果向上があまり期待できず４０質量％以上添加しても洗浄効果はほとんど向上しない。
【００２９】
その他
本発明の台所用液体洗浄剤組成物には、本発明の効果を阻害しない範囲において一般に洗浄剤に配合される他の成分、例えば、ポリオキシエチレンアルキルエステル、アルキルエーテルアルキルベタイン、アミドベタイン、イミダゾリニウムベタイン、スルホベタイン等の両性界面活性剤、高級脂肪酸アルカノールアミド、脂肪酸モノグリセリドなどの脂肪酸と多価アルコールとのエステル、グリセリン、プロピレングリコール、１，３−ブチレングリコールなどの多価アルコール、脂肪酸ソルビタンエステル等の非イオン性界面活性剤、低級アルコール、多価アルコール、ポリエチレングリコール、低級アリールスルホン酸等のハイドロトロープ剤、クエン酸、エチレンジアミン四酢酸誘導体、ニトリロトリ酢酸三ナトリウム等のキレート剤、安息香酸ナトリウム、パラオキシ安息香酸エステル等の防腐剤、色素、香料などを配合することができる。
【００３０】
【実施例】
以下に、実施例と比較例を挙げて本発明をさらに詳細に説明する。
実施例１〜９、比較例１〜７
表２および表３に示す成分および配合量で台所用液体洗浄剤組成物を次のように調製し、その特性を評価した。
【００３１】
水を６０〜７０℃程度まで加熱する。この温水に（ａ）成分と下記に記す（ｂ）成分、（ｃ）成分、（ｄ）成分およびクエン酸等を配合する。その後、冷却を行い４０〜５０℃にてエタノール、メチルパラベン、プロピルパラベンを配合して台所用液体洗浄剤組成物を得た。
表２および表３に、評価結果も合せて示す。
【００３２】
〈ａ成分〉
表１に示す５種類のアルキレンオキシド誘導体を用いた。
【表１】
2004168899.tif 000003
【００３３】
〈ｂ成分〉
以下に示す３種類の陰イオン性界面活性剤を用いた。
〈ｂ−１成分〉
ポリオキシエチレン（３モル）アルキル（Ｃ１２〜１４）エーテル硫酸エステルナトリウム塩
アルキル組成；Ｃ１２：６５質量％、Ｃ１４：３５質量％
【００３４】
〈ｂ−２成分〉
直鎖ドデシルベンゼンスルホン酸ナトリウム塩
〈ｂ−３成分〉
アルキル（Ｃ１２〜１６）硫酸エステルナトリウム塩
アルキル組成；Ｃ１２：６５質量％、Ｃ１４：３４質量％、Ｃ１６：１質量％
【００３５】
〈ｃ成分〉
以下に示す２種類の化合物を用いた。
〈ｃ−１成分〉
ドデシルジメチルアミンオキシド
〈ｃ−２成分〉
オクタデシルジメチルアミンオキシド
【００３６】
〈ｄ成分〉
以下に示す３種類の非イオン性界面活性剤を用いた。
〈ｄ−１成分〉
モノオレイン酸ポリエチレングリコール（１４モル）  ：  ノニオンＯ−６［日本油脂（株）製］
【００３７】
〈ｄ−２成分〉
ポリオキシエチレン（９モル）アルキルエーテル  ：  ノニオンＮＣ−２０９［日本油脂（株）製］
アルキル組成；Ｃ１２：７５質量％、Ｃ１４：２５質量％
〈ｄ−３成分〉
ポリオキシエチレン（８モル）ポリオキシプロピレン（２モル）トリデシルエーテル（ランダムポリマー）
【００３８】
表２中の洗浄力試験および評価項目は、下記の方法により行なった。
（１）洗浄力の評価
リーナッツ改良洗浄試験法（ＪＩＳ  Ｋ−３３７０  ４．９）に準じて行った。２５℃で３分間洗浄（２５０ｒｐｍ）後、１分間すすぎを行ない、洗浄前後の重量より洗浄率（％）を下記式により求め、洗浄力を評価した。洗浄力は各組成物の界面活性剤濃度が３００ｐｐｍとなるように水で希釈して行なった。なお、牛脂（１０ｇ）、大豆油（１０ｇ）、モノオレイン酸グリセリド（０．２５ｇ）、スダンＩＩＩ（０．１ｇ）をクロロホルム６０ｍｌに溶解したものを人工汚垢として用いた。
【００３９】
洗浄率（％）＝｛（洗浄後のスライドガラス重量）−（汚垢付着前のスライドガラス重量）｝／（汚垢付着量）×１００
洗浄力の値が、７０％以上であると充分な洗浄効果を有し、７０％未満であると洗浄効果は不充分であると評価した。
【００４０】
（２）起泡力の評価
Ｒｏｓｓ−Ｍｉｌｅｓ起泡力試験法（ＪＩＳ  Ｋ３３６２  ６．５）に準じて行った。各組成物の濃度を０．０７５質量％となるように希釈した水溶液２００ｍｌを２５℃に調整し、９００ｍｍの高さから３０秒間で水面上に落下させる。この時、生じる泡の高さを測り、起泡力とした。起泡力は以下の基準に従い評価した。
〇：起泡力が良好（１３０ｍｍ以上）
×：起泡力が弱い（１３０ｍｍ未満）
【００４１】
（３）すすぎ性の評価
各組成物の濃度を０．０７５質量％となるように希釈した水溶液２００ｍｌを２５℃に調整し、直径６５ｍｍ×高さ１４０ｍｍのカップに入れ、ミルサー（岩谷産業（株）製  ＩＦＭ−１００）にて１分間攪拌する。次に、泡だった水溶液の水を捨て、２００ｍｌの水を入れ、よく振り、水を捨てる。この操作を泡が完全になくなるまで繰り返す。すすいだ回数を測定し、以下の基準に従い評価した。
〇：すすぎ性が良好（２回まで）
×：すすぎ性が悪い（３回以上）
【００４２】
（４）皮膚刺激性の評価（手あれ性の評価）
手あれのない男女各１０名に対して、桶に各組成物の濃度が０．０７５質量％となるように水で希釈し、１日１５分間手首まで浸漬させた。この操作を３日間繰返し、４日目に手あれの具合を下記のように自己判定してもらい、２０名の平均値を求める。この評価において平均値が１．５以上の場合は皮膚刺激性が弱いとし、平均値が１．０点以上１．５未満の場合は皮膚刺激性が中程度であるとし、平均値が１．０点未満の場合は皮膚刺激性が強いと評価した。
２点：全く手あれが見られない
１点：ややあれた場合を１点
０点：あきらかにあれた場合
【００４３】
（５）肌のすべすべ感（使用後）
男女各１０名に対して、台所用液体洗浄剤を使用して１０分間食器洗浄をおこなった後の肌のすべすべ感について下記のように自己判定してもらい２０名の平均値を求める。この評価において平均値が１．５以上を肌のすべすべ感を向上させる台所用液体洗浄剤であると評価した。
２点：明らかに肌のすべすべ感が向上したと感じた場合
１点：やや肌のすべすべ感が向上したと感じた場合
０点：肌のすべすべ感に全く変化が無いと感じた場合
【００４４】
（６）肌のしっとり感（使用後）
男女各１０名に対して、台所用液体洗浄剤を使用して１０分間食器洗浄をおこなった後の肌のしっとり感について下記のように自己判定してもらい２０名の平均値を求める。この評価において平均値が１．５以上を肌のしっとり感を向上させる台所用液体洗浄剤であると評価した。
２点：明らかに肌のしっとり感が向上したと感じた場合
１点：やや肌のしっとり感が向上したと感じた場合
０点：肌のしっとり感に全く変化が無いと感じた場合
【００４５】
（７）低温安定性の評価
台所用液体洗浄剤８０ｍｌを１００ｍｌのガラス製バイアルに摂取し、−５℃の恒温槽にて１週間静置した。その後、初期の状態と比較し、以下の基準で目視判定した。
〇：組成物が、均一性を保ち初期の状態と差異がない場合
×：分離、白濁および沈殿物が析出するなどの不都合が認められた場合
【００４６】
【表２】
2004168899.tif 000004
【００４７】
【表３】
2004168899.tif 000005
【００４８】
注．比較例４の（ａ）成分は、ａ−２とａ−７の混合物であり、炭化水素基数に対する水素原子数の割合が０．２５３である。
本発明の台所用液体洗浄剤を用いた実施例１〜１０では、洗浄力の評価においては、洗浄力の値は７６〜８８であり、すべて充分な洗浄効果を有するとされる７０％を超えている。起泡性の評価においては、すべて起泡力が良好とされている１３０ｍｍ以上の泡立ちがあり、またすすぎ性の評価においては、すべてすすぎ性が良好とされている２回以下であった。皮膚刺激性の評価においては、すべて１．６以上であり、皮膚刺激性が弱いとされる平均値１．５を超えている。肌のすべすべ感、しっとり感の評価においては、すべてが１．６以上であり、肌のすべすべ感、しっとり感を向上させた。さらに低温安定性の評価においては、すべて均一性を保ち、初期の状態と比較し、差異が認められなかった。
【００４９】
これに対し（ａ）成分を配合していない比較例１の洗浄剤組成物は、皮膚刺激性が強い。（ａ）成分が配合されている比較例４〜７についても、請求項１の範囲を外れる基剤であり、洗浄力、皮膚刺激性、すべすべ感、しっとり感をすべて満たすものはない。比較例２、３についても硫酸系陰イオン界面活性剤、第３アミンオキシドが配合されておらず洗浄力が低下する。
【００５０】
【発明の効果】
本発明の台所用液体洗浄剤組成物は、特定のアルキレンオキシド誘導体を必須成分とすることにより、洗浄力、起泡性、すすぎ性、皮膚刺激性に優れているとともに、使用後のしっとり感、使用後のすべすべ感等の感触も優れている。さらに本発明の台所用液体洗浄剤組成物は、低温安定性も良好である。